(57)【要約】【課題】環状の取付部材を有する取付装置を用いて水栓の本体部をカウンターに取付固定し、その際に人体検知センサと制御部とを繋ぐ電気配線を環状部材の内周側空間に挿通する必要がある場合において、その環状部材の内周側で電気配線が他と干渉することにより傷つき、耐久性低下するのを防止し得る自動水栓装置を提供する。【解決手段】カウンターの表側に配置される水栓の本体部１４を環状部材２１４を有する取付装置２０４にてカウンターに取付固定するようになした自動水栓装置において、環状部材２１４の内周側に、カウンターの上側の人体検知センサと下側の制御部とを繋ぐ電気配線１７２を、ガイド孔２４０内に挿通状態に保持し保護する配線ガイド２３４を設けておく。【選択図】        図１５
2006144330.tif 000002
【特許請求の範囲】
【請求項１】
カウンター等取付基体の表側に配置される水栓の本体部を、該取付基体を貫通する取付穴に、環状部材を有する取付装置にて取付固定するようになした自動水栓装置において
前記環状部材の内周側に、該取付基体の表側の人体検知センサと裏側の制御部とを繋ぐ電気配線をガイド孔内に挿通状態に保持し保護する配線ガイドが設けてあることを特徴とする自動水栓装置。
【請求項２】
請求項１において、前記配線ガイドは、内側に前記ガイド孔を形成する一対の保持爪と該保持爪の間に、前記電気配線を該ガイド孔内に径方向に挿入させる、該ガイド孔に連通した開口を有していることを特徴とする自動水栓装置。
【請求項３】
請求項１，２の何れかにおいて、前記配線ガイドは、前記環状部材とは別体を成して該環状部材内に挿入されるガイド部材に設けられていることを特徴とする自動水栓装置。
【請求項４】
請求項３において、前記環状部材が、前記水栓の本体部に対して水又は水と湯とを供給する供給管と、該本体部からの流出管と、吐水ヘッドとともに引出し可能な可撓性のホースとを内周側の空間に挿通させるものであるとともに、前記ガイド部材は、該供給管，流出管及びホースを位置決めガイドするパイプガイドを前記配線ガイドとともに有していることを特徴とする自動水栓装置。
【請求項５】
請求項４において、ガイド部材は、前記パイプガイドと配線ガイドとが径方向に分割構成となしてあることを特徴とする自動水栓装置。
【請求項６】
請求項４，５の何れかにおいて、前記配線ガイドは前記供給管，流出管及びホースの少なくとも何れかに対するガイド面の一部を形成していることを特徴とする自動水栓装置。
【請求項７】
請求項１〜６の何れかにおいて、前記取付装置は、前記取付基体の表側に配置される前記環状部材としてのアダプタ本体と、該取付基体の裏側に配置されて該アダプタ本体とともに該取付基体を表裏両側から挟持するホルダと、それらアダプタ本体及びホルダを締結する雄ねじ部材を有しており、前記アダプタ本体には該雄ねじ部材の挿通部が内周側に突出する状態で設けられていることを特徴とする自動水栓装置。
【発明の詳細な説明】
【技術分野】
【０００１】
この発明は自動水栓装置に関し、特にカウンター等取付基体の表側に配置される水栓の本体部が、環状部材を有する取付装置にて取付基体に取付固定される形態の自動水栓装置に関する。
【背景技術】
【０００２】
従来、カウンター等取付基体の表側に配置される水栓の本体部を取付基体の貫通の取付穴において、環状部材を有する取付装置により取付基体に取付固定するようになした水栓装置が公知である。
例えば下記特許文献１にこの種の水栓装置が開示されている。
【０００３】
図２３はその具体例を示している。
図において３００は水栓の本体部で吐水管３０６がこれより延び出している。
吐水管３０６は先端部が吐水ヘッド３０６Ｂとされていて、この吐水ヘッド３０６Ｂが可撓性のホース３０８とともに引出し可能とされている。
尚３０４は本体部３００の上部に設けられたシングルレバーハンドルである。
【０００４】
３０２，３０３は水，湯の供給管でカウンター等取付基体の裏側から貫通の取付穴を通って本体部３００にそれぞれの上端部が接続されている。
本体部３００からはまた、混合水の流出管３１０が同じく取付穴を通って下向き且つ取付基体の裏側まで延び出しており、その端部に対して上記可撓性のホース３０８が接続されている。
【０００５】
ホース３０８はその向きを上向きに転じて再び取付穴を通り、更に本体部３００を挿通して吐水ヘッド３０６Ｂに接続されている。
３１２は、本体部３００を取付基体に取付固定するためのアダプタ装置（取付装置）で、取付基体の表側に配置される円環状のアダプタ本体（環状部材）３１４と、裏側に配置される馬蹄形のホルダ３１６と、それらを締結する雄ねじ部材３１８とを有している。
【０００６】
このアダプタ装置３１２は取付基体の表側からの取付施工が可能であって、表側から雄ねじ部材３１８をねじ込むことで、アダプタ本体３１４とホルダ３１６とで取付基体を表裏両側から挟持させ、以ってアダプタ装置３１２を取付基体に取り付けることができる。
而してその後アダプタ本体３１４に対し、同じく取付基体の表側から水栓の本体部３００を嵌合状態に組み付けることで、水栓の本体部３００を取付基体の表側に取付固定することができる。
【０００７】
この水栓装置にあっては、一対の供給管３０２，３０３、流出管３１０を円環状をなすアダプタ本体３１４の内周側の狭い空間に挿通させることとなる。
加えて図２３に示すホース収納式の水栓にあっては、可撓性のホース３０８もまたアダプタ本体３１４の内周側の狭い空間に移動可能に挿通することとなる。
【０００８】
ところで、人体検知センサによる人体検知に基づいて吐水を自動的に行う自動水栓が従来より広く用いられているが、この自動水栓をホース収納式水栓として且つアダプタ装置３１２にて取付基体に取付固定するように構成した場合、アダプタ本体３１４の内周側の狭い空間を、更に表側の人体検知センサと裏側の制御部とを繋ぐ電気配線が通ることとなる。
【０００９】
この場合、自動水栓装置の取付作業やメンテナンス作業に際して、アダプタ本体３１４の内周側の狭い空間内で、電気配線が他との干渉を起すことにより傷付く恐れがあり、特に図２３に示すようなホース収納式の水栓装置、即ちアダプタ本体３１４の内周側の狭い空間を可撓性のホース３０８が上下に移動する水栓装置の場合、そのホース３０８の移動に伴って電気配線が擦れたり絡まったりする恐れが生じ、そのことによって電気配線の耐久性が低下してしまう恐れがある。
【００１０】
以上はアダプタ装置を用いて水栓の本体部を取付基体に取付固定し、また特にホース収納式の水栓装置を取付固定する場合の問題点であるが、この種の問題は環状部材を有する取付装置を用いて水栓の本体部を取付基体に取付固定するに際して共通して生じ得る問題である。
【００１１】
【特許文献１】特開２００２−１３８５３９号公報
【発明の開示】
【発明が解決しようとする課題】
【００１２】
本発明は以上のような事情を背景とし、環状の取付部材を有する取付装置を用いて水栓の本体部を取付基体に取付固定し、その際に人体検知センサと制御部とを繋ぐ電気配線を環状部材の内周側空間に挿通する必要がある場合において、その環状部材の内周側で電気配線が他との干渉により傷つき、耐久性低下するのを良好に防止することのできる自動水栓装置を提供することを目的としてなされたものである。
【課題を解決するための手段】
【００１３】
而して請求項１のものは、カウンター等取付基体の表側に配置される水栓の本体部を、該取付基体を貫通する取付穴に、環状部材を有する取付装置にて取付固定するようになした自動水栓装置において、前記環状部材の内周側に、該取付基体の表側の人体検知センサと裏側の制御部とを繋ぐ電気配線をガイド孔内に挿通状態に保持し保護する配線ガイドが設けてあることを特徴とする。
【００１４】
請求項２のものは、請求項１において、前記配線ガイドは、内側に前記ガイド孔を形成する一対の保持爪と該保持爪の間に、前記電気配線を該ガイド孔内に径方向に挿入させる、該ガイド孔に連通した開口を有していることを特徴とする。
【００１５】
請求項３のものは、請求項１，２の何れかにおいて、前記配線ガイドは、前記環状部材とは別体を成して該環状部材内に挿入されるガイド部材に設けられていることを特徴とする。
【００１６】
請求項４のものは、請求項３において、前記環状部材が、前記水栓の本体部に対して水又は水と湯とを供給する供給管と、該本体部からの流出管と、吐水ヘッドとともに引出し可能な可撓性のホースとを内周側の空間に挿通させるものであるとともに、前記ガイド部材は、該供給管，流出管及びホースを位置決めガイドするパイプガイドを前記配線ガイドとともに有していることを特徴とする。
【００１７】
請求項５のものは、請求項４において、ガイド部材は、前記パイプガイドと配線ガイドとが径方向に分割構成となしてあることを特徴とする。
【００１８】
請求項６のものは、請求項４，５の何れかにおいて、前記配線ガイドは前記供給管，流出管及びホースの少なくとも何れかに対するガイド面の一部を形成していることを特徴とする。
【００１９】
請求項７のものは、請求項１〜６の何れかにおいて、前記取付装置は、前記取付基体の表側に配置される前記環状部材としてのアダプタ本体と、該取付基体の裏側に配置されて該アダプタ本体とともに該取付基体を表裏両側から挟持するホルダと、それらアダプタ本体及びホルダを締結する雄ねじ部材を有しており、前記アダプタ本体には該雄ねじ部材の挿通部が内周側に突出する状態で設けられていることを特徴とする。
【発明の作用・効果】
【００２０】
以上のように本発明は、取付装置における環状部材の内周側に、人体検知センサと制御部とを繋ぐ電気配線を挿通状態に保持し、保護する配線ガイドを設けたもので、本発明によれば、環状部材の内周側の空間において電気配線が他との干渉により傷付くのを良好に防止し得て、その耐久性を高めることができる。
尚本発明はホース収納式の水栓に適用して特に好適なものであるが、それ以外の水栓装置に適用することも可能である。
【００２１】
ここで配線ガイドは一対の保持爪と、それら保持爪間に、電気配線をガイド孔に径方向に挿入させる開口を有するものとなしておくことができる（請求項２）。
このようにしておけば、環状部材を挿通する電気配線を容易にその保持爪による保持空間（ガイド孔内）に挿入することができる。
【００２２】
請求項３は上記配線ガイドを、環状部材とは別体を成してその環状部材内に挿入されるガイド部材に設けたもので、このようにしておけば、環状部材自体の構造を複雑化せず、また従来用いられている環状部材をそのまま用いることが可能となる利点が得られる。
【００２３】
この場合において上記環状部材は、水又は水と湯を供給する供給管と、本体部からの流出管と、可撓性のホースとを内周側の空間に挿通させるものとなすとともに、上記のガイド部材は、それら供給管，流出管及びホースを位置決めガイドするパイプガイドを配線ガイドとともに有するものとなしておくことができる（請求項４）。
【００２４】
このようにしておけば、パイプガイドによる供給管，流出管，ホースの位置決めによって、環状部材の内周側において電気配線がそれらと干渉するのをより良好に防止することができる。
特に可撓性ホースが位置決め状態で環状部材の内周側の空間を上下方向に移動することとなるため、ホースの移動に伴って電気配線が擦れたり、絡まったりして傷付くのを良好に防止することができる。
【００２５】
この場合においてパイプガイドと配線ガイドとは径方向に分割構成と成しておくことができる（請求項５）。
このようにすれば、パイプガイドと配線ガイドとで供給管や流出管等を径方向に挟むようにしてその位置決めをなすことが可能となり、更にはまたその分割側の開口を通じて電気配線をガイド孔内に挿入することが可能となり、作業が容易となるとともに省スペース化を図ることができる。
【００２６】
上記配線ガイドは、供給管，流出管及びホースの少なくとも何れかに対するガイド面の一部を形成するように構成することができる（請求項６）。
【００２７】
本発明は、取付基体の表側に配置される環状部材としてのアダプタ本体と、裏側に配置されてアダプタ本体とともに取付基体を表裏両側から挟持するホルダと、それらを締結する雄ねじ部材を有し、且つアダプタ本体には雄ねじ部材の挿通部が内周側に突出する状態に設けられている取付装置を用いて水栓の本体部を取付基体に取付固定するようになした水栓装置に適用して特に効果の大なるものである（請求項７）。
この取付装置にあっては、アダプタ本体の内周側に雄ねじ部材の挿通部が突出していることから、環状部材としてのアダプタ本体の内周側の空間がより煩雑且つ狭小化しており、そのようなものに本発明を適用して特に効果が大なるものである。
【発明を実施するための最良の形態】
【００２８】
次に本発明をキッチン用のホース収納式の自動水栓に適用した場合の実施形態を図面に基づいて詳しく説明する。
図１において、１０はキッチンのキャビネットで、１２はカウンター（取付基体）であり、このカウンター１２上に起立する状態で水栓の本体部１４と吐水管１６とが設けられている。ここで吐水管１６は本体部１４に対して所定角度回転可能とされている。
また吐水管１６は、図３に示しているように逆Ｕ字状のグースネック形状をなしている。
同図に示しているように吐水管１６は、先端に吐水口１８を有し、可撓性のホース２０とともに引出し可能な吐水ヘッド２２と、吐水管本体２４とを有している。
【００２９】
図１に示しているように、キャビネット１０の内部には一対の止水栓２８，３０の間の位置においてバルブユニット（第１の本体部）２６が配設されている。
そしてこのバルブユニット２６の後述の水流入口に対して給水用の元配管（以下単に給水元管と略す）が止水栓２８，分岐継手３２及び接続ホース３４を介して接続されている。
また後述の湯流入口に対して給湯用の元配管（以下単に給湯元管と略す）が、止水栓３０及び接続ホース３６を介して接続されている。
このバルブユニット２６の水流出口及び湯流出口からは水，湯の供給管３８，４０が上向きに延び出しており、それらの先端が上記の水栓の本体部（第２の本体部）１４に接続されて、その本体部１４に水，湯がそれぞれ供給されるようになっている。
【００３０】
本体部１４には後述の混合弁５８（図２参照）が内蔵されていて、その混合弁５８の下流部から水又は湯（混合弁５８で温調された湯）を流出させる剛性の流出管４２が下向きに延び出しており、その先端がカプラ４４を介して上記の可撓性のホース２０に接続されている。
ここでホース２０はカプラ４４から上向きに延び出した後、１回転した上で本体部１４，吐水管本体２４を挿通し吐水ヘッド２２に接続されている。
【００３１】
キャビネット１０の内部にはまた浄水器４６が設けられており、バルブユニット２６の上流部において給水元管からの水が分岐継手３２，ホース４８を通じてこの浄水器４６に導かれるようになっている。
浄水器４６は、水道水を後述のフィルタ６６（図２参照）に通して浄化するもので、その浄化後の浄水を流出させるホース５０が浄水器４６から延び出している。
このホース５０の先端はカプラ４４を介して、吐水ヘッド２２に繋がるホース２０に接続されている。
即ち浄水器４６から流出した浄水がホース５０，２０を通じて吐水ヘッド２２に導かれ、その先端の吐水口１８から吐水されるようになっている。
ここでカプラ４４には、吐水の温度をその上流部で検出する温度検出素子としてのサーミスタ１７０が内部の流路に臨む状態で取付けられている。
キャビネット１０の内部にはまた、バルブユニット２６の下側において水栓の動作制御のためのコントローラ（制御部）５２が設けられている。
【００３２】
図２に示しているように本実施形態において給水元管，給湯元管からの水，湯は給水路５４，給湯路５６を通じて本体部１４に内蔵された混合弁５８に供給される。
供給された水と湯とはシングルレバーハンドル６０の操作に基づいて所定比率で混合された上、同じくそのシングルレバーハンドル６０の操作に基づいて決定された所定流量で流出路６２を通じ吐水ヘッド２２に送られ、先端の吐水口１８から吐水される。
ここでシングルレバーハンドル６０は、左右回動操作によって水と湯との混合比率の調節即ち温度調節を行い、また上下回動操作によって流量調節を行う。
【００３３】
給水元管からの水はまた、電磁弁６８の上流部で給水路５４から分岐した浄水路６４に取り出され、そして浄水路６４上に設けられた浄水器４６のフィルタ６６を通過してそこで浄化された上で、浄化後の水（浄水）が混合弁５８をバイパスして流出路６２に導かれ、そしてその流出路６２を通じて吐水ヘッド２２の吐水口１８から吐水されるようになっている。
これら給水路５４，給湯路５６及び浄水路６４のそれぞれには流路を開閉する電磁弁６８，７０，７２及び逆流防止をなす逆止弁７４が配設されている。
尚浄水路６４には定流量弁７３が設けられている。
【００３４】
給水路５４からはまた、電磁弁６８の上流部においてバイパス路７６が分岐して延び出しており、その先端が給湯路５６且つ電磁弁７０及び逆止弁７４の下流部に接続されている。
このバイパス路７６上にもまた、流路を開閉する電磁弁７８と逆止弁７４が設けられている。
これら電磁弁６８，７０，７２，７８はそれぞれコントローラ５２に電気的に接続されていて、コントローラ５２によって動作制御される。
【００３５】
本実施形態において、給水路５４と給湯路５６とを連絡するバイパス路７６を設けているのは次のような理由による。
即ちシングルレバーハンドル６０の操作位置が、混合弁５８内における湯の流路を全開、水の流路を全閉状態とする状態にあると、後述する人体検知センサ（水用センサ１１６）による人体検知に基づいて吐水口１８から水吐水させようとしてもこれを行うことができない。
そこで給水路５４と給湯路５６とをバイパス路７６で連絡しておき、混合弁５８内において水の流路が全閉状態にあっても、給水元管からの水をバイパス路７６，給湯路５６，更に流出路６２を通じて吐水口１８へと供給可能となしているのである。
【００３６】
この実施形態の自動水栓では、図１０（Ａ）に示しているように電磁弁６８及び７８が開，電磁弁７０，７２が閉とされることで、給水路５４及びバイパス路７６、更に給湯路５６の一部を通じて給水元管からの水が混合弁５８に送られ、更にその混合弁５８を経由して流出路６２を通じ、吐水口１８から水が吐水（水吐水）される。
また図１０（Ｂ）に示しているように電磁弁６８及び７０が開，電磁弁７２及び７８が閉の状態の下で、給水元管からの水と給湯元管からの湯がそれぞれ給水路５４及び給湯路５６を通じて混合弁５８に送られてそこで混合され、適温の湯とされた上で流出路６２を通じ吐水口１８から湯が吐水（湯吐水）される。
一方図１０（Ｃ）に示しているように電磁弁６８，７０及び７８の何れもが閉で、電磁弁７２のみが開の状態の下では、給水元管からの水が浄水器４６、つまり浄水路６４の側に導かれてフィルタ６６を通り、浄水となって流出路６２を通じ吐水口１８から吐水（浄水吐水）される。
【００３７】
図３に示しているように、逆Ｕ字状のグースネック形状をなす吐水管１６における吐水管本体２４の先端部、詳しくはその最上位の部位から先端に向かって下向きとなる部分の上面に、水用センサ（水用の人体検知センサ）１１６及び湯用センサ（湯用の人体検知センサ）１１８が、所定間隔隔てて管軸方向に一列に配列されている。
ここで水用センサ１１６は使用者に近い手前側に（前側に）、また湯用センサ１１８は奥側に設けられている。従って水用センサ１１６は湯用センサ１１８に対して下位置に、また湯用センサ１１８は水用センサ１１６に対して上位置に位置している。
本実施形態においては、吐水管本体２４の側面においても浄水用センサ（浄水用の人体検知センサ）１２０が設けられている。
尚吐水管本体２４の先端部下面には、吐水やシンク或いはシンク内の容器等に光を照射してほのかに照らし出す光照射部１２２が設けられている。
【００３８】
この実施形態の自動水栓では、水用センサ１１６の上方に手をかざして水用センサ１１６によりこれを検知させると、吐水口１８から水が吐水（水吐水）される。また水吐水状態の下で再び水用センサ１１６の上方に手をかざすと、そこで水吐水が停止する。即ち止水する。
一方湯用センサ１１８の上方に手をかざすと、湯用センサ１１８による手の検知に基づいて、吐水口１８から適正温度に温度調節された湯（温調水）が吐水され、そしてその湯吐水中に再び湯用センサ１１８の上方に手をかざすと、そこで湯吐水が停止する。
【００３９】
一方図９に示しているように吐水管本体２４の先端部側方に手を差し出すと、浄水用センサ１２０がこれを検知し、吐水口１８から浄水が吐水（浄水吐水）される。また浄水吐水状態の下で再び浄水用センサ１２０に対して手をかざすと、そこで浄水吐水が停止する。
そのようにコントローラ５２が対応する各電磁弁６８，７０，７２，７８を動作制御する。
【００４０】
図４〜図７に吐水管１６の構成が具体的に示してある。
図４，図５及び図６に示しているように、吐水管１６は金属パイプから成る吐水管本体２４と、吐水管本体２４内に挿入されたインナ部材１２６と、その先端側に設けられてホース２０を挿通ガイドする概略筒状のガイド部材１２８と、その下側からこれを被うガイドカバー１３０とを有している。
吐水管本体２４内にはまた、上記可撓性のホース２０及び水，湯，浄水用の各センサ１１６，１１８，１２０とコントローラ５２とを繋ぐ電気配線１７２が挿通されており、そしてそれらの収納空間が上記インナ部材１２６にて仕切られている。
【００４１】
図７に示しているようにガイド部材１２８の上面には仕切板１３１が固定されており、そしてその仕切板１３１の上面に上記水用センサ１１６，湯用センサ１１８を有するセンサユニット１３２，１３４が載置固定された上、その上側から樹脂製の透光性のセンサカバー１３６が被せられている。
ガイド部材１２８には、その側面に浄水用センサ１２０が取り付けられている。ガイドカバー１３０は、その浄水用センサ１２０に対応する部分が透光性とされている。
【００４２】
上記湯用センサ１１８は光電式のものであって、図８（Ａ）に示しているようにこの湯用センサ１１８を有するセンサユニット１３４は基板１４０を有していて、そこに赤外線の発光素子１４２と、受光素子１４４と、センサ制御部としてのマイコン１４６が搭載されている。
基板１４０にはまた、湯吐水状態であるかそうでないかを表示するためのＬＥＤ１４８が搭載されており、湯吐水状態の下ではこのＬＥＤ１４８が点滅し、またそうでないときにはＬＥＤ１４８が点灯保持するようになっている。
【００４３】
一方図８（Ｂ）に示しているように、水用センサ１１６を有するセンサユニット１３２は、基板１４０に赤外線の発光素子１４２と、受光素子１４４と、更に水吐水中であるか否かを表示するＬＥＤ１５０が搭載されている。
ここでＬＥＤ１５０は水吐水中であれば点滅を行い、またそうでないときには点灯状態を保持して、水吐水中であるか否かを表示する。
このセンサユニット１３２にはまた、基板１４０に現在の吐水温度を表示するための３色（ＲＧＢ）ＬＥＤ１５２が搭載されている。
【００４４】
一方図８（Ｃ）に示しているように浄水用センサ１２０を有するセンサユニット１３８は、基板１４０に赤外線の発光素子１４２と、受光素子１４４及び浄水吐水中であるか否かを表示するためのＬＥＤ１５４が搭載されている。
このＬＥＤ１５４は浄水吐水中においては点滅動作し、またそうでないときには点灯状態を保持することによって、浄水吐水中であるか否かを表示する。
【００４５】
一方吐水ヘッド２２は、図５に示しているように筒状のコア部材１５６と、これを外周側から覆うカバー１５８とを有しており、そのコア部材１５６に対してホース２０の先端部が水密に接続固定されている。
この吐水ヘッド２２の先端には、吐水口１８からの吐水をストレート吐水からシャワー吐水に又はその逆に切換操作する切換操作部１６０が設けられている。
【００４６】
吐水管本体２４と吐水ヘッド２２との間には、図４及び図５に示しているように、それらによって管軸方向に挟まれるようにして温度表示リング１６２が取り付けられている。
この温度表示リング１６２は、概略リング状をなす透光性の樹脂から成っていて、図５の部分拡大図に示しているように後方への延出部１６４が一体に成形されており、この延出部１６４に対して上記３色ＬＥＤ１５２からの光が照射されるようになっている。
３色ＬＥＤ１５２から延出部１６４に照射された光は、温度表示リング１６２の内部を通ってその外周面から周辺に放射される。
【００４７】
３色ＬＥＤ１５２は赤（Ｒｅｄ），緑（Ｇｒｅｅｎ）及び青（Ｂｌｕｅ）を発色するＬＥＤをユニット化したもので、無段階で連続的に色変化が可能であり、温度表示リング１６２はその色変化に基づいて吐水温度を表示する。
即ち吐水温度が低いときには青色を、吐水温度が高いときには赤色を、中間のときにはそれらに応じた色を発色して現在の吐水温度がどのような温度であるかをその色変化によって表示する。
【００４８】
図１１〜図１３に示しているように、吐水管本体２４の基端側には、吐水管本体２４とは別体をなす回転スリーブ（ここでは金属製）１７４が吐水管本体２４と一体回転する状態で設けられており、かかる吐水管本体２４が、回転スリーブ１７４を介して水栓の本体部１４の保持孔１７６において回転可能に保持されている。
【００４９】
回転スリーブ１７４は、その上端部が嵌合部１７８とされていて、この嵌合部１７８が吐水管本体２４に一体回転状態に差込嵌合されている。ここで嵌合部１７８の内周面は上向きに大径となるテーパ面１８０とされている。
尚、回転スリーブ１７４の吐水管本体２４への挿入量は回転スリーブ１７４に設けられた環状の突起２００によって規定される。
この回転スリーブ１７４は、上下の一対の金属製のスリップリング１８２，１８４を介して保持孔１７６に回転可能に嵌合されている。
またＯリング１８６によってこの回転スリーブ１７４と保持孔１７６との間が水密にシールされている。
【００５０】
図６に示しているようにインナ部材１２６は、吐水管本体２４と対応した湾曲形状をなしてその内部に挿入される樹脂製の第１部分１２６-１と、回転スリーブ１７４内に挿入される第２部分１２６-２とに管軸方向に２分割されている。
インナ部材１２６の主体をなす第１部分１２６-１は、図６及び図１１に示しているようにその横断面形状が概略コ字形状をなしている。詳しくはこの第１部分１２６-１は、一対の側壁部１９２と、後壁部１９４とを有していて、その内側にホース２０の収納空間を形成している。
【００５１】
一対の側壁部１９２と後壁部１９４とのそれぞれには、外面にそれぞれ管軸方向に沿って延びるリブ１９６，１９８が設けられており、それらリブ１９６，１９８によって、第１部分１２６-１の吐水管本体２４内における位置決めがなされる。
後壁部１９４から後方に起立した一対のリブ１９８は、後壁部１９４とともに内側に電気配線１７２の挿入空間を形成しており、そこに電気配線１７２が管軸方向に沿って収納されている。
【００５２】
一方上記第２部分１２６-２は、図１４に示しているように直管状をなす回転スリーブ１７４に沿った管軸方向のストレート形状且つ全体として平板状をなしている。
詳しくはこの第２部分１２６-２は、その本体をなす平板部２０２と、幅方向両端から起立する立上がりの小さな一対のリブ２０４とを有しており、それらによって上記の電気配線１７２の収納空間を形成している。
【００５３】
この第２部分１２６-２の上端部には、上向きに突出する係合部２０６が幅方向両端部に設けられている。これら係合部２０６は突起状の当接部２０８を有している。
ここで係合部２０６は、図１３（Ａ）に示しているように第１部分１２６-１の一対のリブ１９８の間に上向きに挿入され、そして一対の当接部２０８がそれらリブ１９８の各内面に当接させられている。
【００５４】
一方この第２部分１２６-２の下端部、詳しくは下端近傍位置には上記のスリップリング１８４が一体に備えられている。
このスリップリング１８４は、図１３に示しているように回転スリーブ１７４の外周面よりも径方向外側に位置しており、図１４に詳しく示しているように一対のブリッジ部２１０によって第２部分１２６-２と繋がれている。
他方回転スリーブ１７４には、各ブリッジ部２１０に対応する位置において、各ブリッジ部２１０を径方向に通す一対のスリット２１２が形成されている。
【００５５】
即ち本実施形態では、このスリット２１２を径方向に挿通する一対のブリッジ部２１０によって、回転スリーブ１７４内の第２部分１２６-２と外側のスリップリング１８４とが一体化されている。
これらブリッジ部２１０及びスリット２１２はまた、第２部分１２６-２を回転スリーブ１７４とともに共回りさせるための共回り手段を構成している。
【００５６】
図１２に示しているように、上記水栓の本体部１４は取付穴１８８においてアダプタ装置（取付装置）２０４によりカウンター１２に取付固定されている。
アダプタ装置２０４は、図１５に示しているように円環状をなしてカウンター１２を表側（上側）から挟み込むアダプタ本体２１４と、略馬蹄形状をなして裏側からカウンター１２を挟み込むホルダ２１６と、それらをねじ締結する一対の雄ねじ部材２１８とを有している。
ここでホルダ２１６には一対の雌ねじ孔２２０が設けられており、またアダプタ本体２１４には雄ねじ部材２１８の挿通部２２２が内周側に突出する状態で設けられている。
【００５７】
このアダプタ装置２０４はカウンター１２の表側から（上面側から）カウンター１２に取付可能である。
詳しくは、アダプタ本体２１４とホルダ２１６とを図中左側の１本の雄ねじ部材２１８のみにて繋いでおき、その状態でホルダ２１６をカウンター１２の表側から取付穴１８８を通じてカウンター１２の裏側まで通し、その後雄ねじ部材２１８を回転操作することによってホルダ２１６を共回りさせ、これを所定角度位置に位置決めした状態で今１本の雄ねじ部材２１８を同じくカウンター１２の表側からホルダ２１６の図中右側の雌ねじ孔２２０にねじ込む。
そして更に一対の雄ねじ部材２１８をねじ込んで行くことで、アダプタ本体２１４とホルダ２１６とでカウンタ１２を表裏両側から挟み込む状態にカウンター１２に固定することができる。
【００５８】
而してその後アダプタ本体２１４に対して、図１２に示す本体部１４の下端部の円筒部２２６を外嵌状態に嵌め合わせ、その後止ねじ２２４を円筒部２２６の固定孔２２８を通じてアダプタ本体２１４の雌ねじ孔にねじ込むことで、本体部１４をアダプタ装置２０４を介してカウンター１２に取付固定することができる。
尚図１５において、２３０は固定孔２２８の開口を閉鎖する化粧キャップである。
【００５９】
本実施形態において上記水，湯の供給管３８，４０、更に本体部１４から下向きに延び出した流出管４２、更に可撓性のホース２０のそれぞれが、アダプタ装置２０４におけるアダプタ本体２１４の内周側の空間を挿通して延びている。
更にまたこのアダプタ本体２１４の内周側の空間には、上記人体検知センサ１１６，１１８，１２０とコントローラ５２とを繋ぐ電気配線１７２が挿通されている。
【００６０】
図１７（Ａ）において、２３２はアダプタ本体２１４の内周側の空間においてそれら供給管３８，４０，流出管４２及びホース２０を位置決め状態に保持し、また併せて電気配線１７２を位置決め状態に保持し、保護する、アダプタ本体２１４とは別体をなすガイド部材で、図１５にも示しているように電気配線１７２を保持する側の配線ガイド２３４と、供給管３８，４０，流出管４２，ホース２０を位置決めする側のパイプガイド２３６とに径方向に２分割されている。
【００６１】
配線ガイド２３４は図１６，図１７及び図１８に示しているように、周方向の中央部且つ内周側に一対の保持爪２３８を有していて、それら保持爪２３８の内側に保持孔２４０を有しており、その保持孔２４０に図１７，図１８に示しているように電気配線（厳密には電気配線のコード）１７２が挿通状態に保持されるようになっている。
【００６２】
ここで一対の保持爪２３８と２３８との間は保持孔２４０に連通する開口２４２とされており、電気配線１７２はこの開口２４２を通じて保持孔２４０内に径方向に挿入可能とされている。
この一対の保持爪２３８からは円弧形状のアーム２４４が周方向に延び出している。アーム２４４の各端部には係合ピン２４６が突設されており、これら係合ピン２４６が、パイプガイド２３６の対応する係合孔２４８内に嵌め込まれるようになっている。
即ち配線ガイド２３４とパイプガイド２３６とが、それら係合ピン２４６と係合孔２４８との嵌め合せによって径方向に互いに組み付けられるようになっている。
ここで上記一対の保持爪２３８は、図１５に示しているようにアーム２４４から下向きに長く突き出した形態をなしている。
【００６３】
尚アーム２４４の内周面２５０は円弧状の面とされている。
またガイド部材２３２の上端部には全周に亘ってフランジ部２５２が設けられており、図１２に示しているようにこのフランジ部２５２が、アダプタ本体２１４の上端面と、水栓の本体部１４における円筒部２２６に設けられた内向きのフランジ部２５４とによって、上下方向に挟まれるようになっている。
【００６４】
一方パイプガイド２３６には、下向きに延び出す円筒部２５６と垂下壁２５８とが備えられている。
円筒部２５６の内側にはホース２０を上下に摺動可能に且つ径方向に位置決め状態に保持するガイド孔２６０が形成されている。
垂下壁２５８の分割側の面には、供給管４０と流出管４２とを径方向に位置決め状態に保持するための、断面形状が半円よりもやや大きいガイド孔２６２，２６４が形成されている。またそれらの中間に、供給管３８を径方向に位置決め状態に保持するための円弧形状のガイド面２６６が形成されている。
【００６５】
尚上記配線ガイド２３４における一対の保持爪２３８の外面にもまた、パイプガイド２３６側のガイド面２６６と協働して給水用の供給管３８を径方向に位置決め状態に保持するためのガイド面２６８が形成されている。
また配線ガイド２３４におけるアーム２４４の内周面２５０は、その一部（図１７(Ａ)中上端部）がパイプガイド２３６と協働して流出管４２を径方向に位置決めするガイド面をなしている。
尚ガイド部材２３２における上端部の下面側には、図１７（Ａ）に示しているように上記一対の雄ねじ部材２１８の頭部を収容するための凹部２７２が形成されている。
【００６６】
図１７に示しているように、本実施形態においてガイド部材２３２は外形形状が円形状をなす上端部がアダプタ本体２１４の上端面に載置され、そしてパイプガイド２３６における円筒部２５６と垂下壁２５８、更に配線ガイド２３４における一対の保持爪２３８が、アダプタ本体２１４の内周側の空間に挿通されている。
【００６７】
本実施形態では、ガイド部材２３２におけるパイプガイド２３６と配線ガイド２３４とを、図１８に示しているように径方向に分離させておいて、それらの間に供給管３８，４０，流出管４２を挿通した状態とし、更にまた配線ガイド２３４における保持孔２４０内に、電気配線１７２を分割側の開口、更には一対の保持爪２３８の間の開口２４２を通じて径方向に挿入して保持させ、その状態でパイプガイド２３６と配線ガイド２３４とを径方向に組み付けることで、供給管３８，４０，流出管４２及び電気配線１７２を径方向に位置決め状態に保持することができる。
また円筒部２５６の内側のガイド孔２６０にホース２０を挿通することで、かかるホース２０もまた径方向に位置決め状態に保持することができる。
即ち供給管３８，４０、流出管４２、ホース２０、更に電気配線１７２のそれぞれを、アダプタ本体２１４の内周側の狭い空間内において径方向に位置決め状態に保持することができる。
【００６８】
以上のように本実施形態によれば、アダプタ本体２１４の内周側の空間において電気配線１７２が他と干渉を起すことにより傷付くのを良好に防止し得て、その耐久性を高めることができる。
またここで配線ガイド２３４は一対の保持爪２３８，２３８の間に開口２４２を有するため、その開口２４２を通じて電気配線１７２を容易に保持孔２４０内に径方向に挿入することができる。
【００６９】
また配線ガイド２３４はアダプタ本体２１４とは別体を成すガイド部材２３２に設けられているため、アダプタ本体２１４自体の構造を複雑化せず、また従来用いられているアダプタ本体２１４をそのまま用いることができる。
【００７０】
またパイプガイド２３６と配線ガイド２３４とは径方向の分割構成とされているため、それらにて供給管３８，４０，流出管４２を挟むように位置決めすることが可能となる。
更にはまた配線ガイド２３４の分割側の開口を通じて電気配線１７２を保持孔２４０内に挿入することが可能となる。
【００７１】
図１９及び図２０は本発明の他の実施形態を示している。
この実施形態では、給水元管からの水及び給湯元管からの湯をそれぞれ上記のようなバルブユニットを経由することなく、直接本体部１４内の混合弁５８に供給するようにし、そして流出路６２を構成する流出管４２とホース２０とを接続するカプラ２７４に、流出路６２を開閉する電磁弁２７６を設けている。
即ちここでは、温調された湯を吐水口１８から吐水させ又は止水するための電磁弁２７６を混合弁５８の２次側に設けている。
【００７２】
また一方、混合弁５８の上流部において給水路５４から第２の給水路２７８を分岐して延び出させ、その先端を流出路６２且つ電磁弁２７６の下流部に接続している。
この第２の給水路２７４上には、定流量弁７３と第２の給水路２７４を開閉する電磁弁２８０とが設けてある。
【００７３】
一方吐水管１６には、その上面に湯用センサ１１８と水用センサ１１６とが管軸方向に一列に設けられている。
但しここでは湯用センサ１１８が使用者に近い手前側（前側）に、また水用センサ１１６が奥側に設けられている。
【００７４】
この実施形態においても、使用者に近い手前側の湯用センサ１１８の検知距離が奥側の水用センサ１１６の検知距離よりも短く設定してあり、また湯用センサ１１８と水用センサ１１６とが実質的に同時に人体検知したときには、奥側の水用センサ１１６による人体検知が優先するようになしてある。
【００７５】
この実施形態では、第２の給水路２７８からの水が混合弁５８をバイパスして吐水口１８から水吐水されることから、水吐水の際の流量調節の機能は有しておらず、一定流量で吐水口１８から水吐水される。
【００７６】
図２０にカプラ２７４の内部構造が具体的に示してある。
同図に示しているように、ここではカプラ２７４に吐水の温度をその上流部で検出するための温度検出素子としてのサーミスタ１７０が電磁弁２７６と併せて組み付けられている。
更にまたこのカプラ２７４には、水抜栓１１０と電磁弁２７６の主弁をなすダイヤフラム弁９８を開放させる開放操作部材１１２が組み込まれている。
【００７７】
図２１は本発明の更に他の実施形態を示したもので、ここでは第２の給水路２７８に代えて浄水路６４を設け、それに対応して吐水管１６の上面に湯用センサ１１８と浄水用センサ１２０とを管軸方向に一列に且つ湯用センサ１１８を使用者に近い手前側に、浄水用センサ１２０を奥側に設けている。
【００７８】
この例においても、湯用センサ１１８及び浄水用センサ１２０のうち、使用者に近い手前側の湯用センサ１１８に対して奥側の浄水用センサ１２０が優先され、またその検知距離は、奥側の浄水用センサ１２０に対し手前側の湯用センサ１１８の検知距離が短く設定されている。
この実施形態の場合、水吐水に代えて浄水吐水が行われる以外は図１９及び図２０に示す実施形態と基本的に同様である。
【００７９】
図２２は本発明の更に他の実施形態を示している。
この実施形態は、図１９及び図２０に示す第２の給水路２７８，図２１の実施形態における浄水路６４を省略した形態のもので、吐水管１６には湯用センサ１１８のみが設けられている。
他の点については図１９〜図２１に示す実施形態と同様である。
【００８０】
以上本発明の実施形態を詳述したがこれはあくまで一例示である。
例えば上記実施形態では人体検知センサとして非接触式のものが用いられているが、かかる人体検知センサとして接触式のものを用いることも可能である。
また本発明は上記例示したアダプタ本体，アダプタ装置以外の、環状部材を有する取付装置にて水栓の本体部をカウンター等取付基体に取付固定するに際して適用することも可能である等、本発明はその趣旨を逸脱しない範囲において種々変更を加えた形態で構成可能である。
【図面の簡単な説明】
【００８１】
【図１】本発明の一実施形態である自動水栓を示す図である。
【図２】同実施形態の自動水栓の流路を示す図である。
【図３】同実施形態の吐水管と各種センサを示す図である。
【図４】図３の吐水管の内部構造を示す断面図である。
【図５】図４における吐水ヘッドを吐水管本体から離した際の図である。
【図６】図４の分解斜視図である。
【図７】図６の一部を詳しく示した図である。
【図８】同実施形態における各人体検知センサを示した図である。
【図９】浄水吐水を行う際の図である。
【図１０】同実施形態における流路切換えの説明図である。
【図１１】同実施形態におけるインナ部材を水栓の本体部の一部とともに示す断面図である。
【図１２】同実施形態における水栓の本体部を周辺部とともに示す断面図である。
【図１３】同実施形態における回転スリーブと周辺部を示す断面図である。
【図１４】同実施形態における回転スリーブとインナ部材とを分解して示す分解図である。
【図１５】同実施形態における水栓の本体部とその周辺部を各部に分解して示す図である。
【図１６】同実施形態におけるガイド部材の図である。
【図１７】図１２におけるア−ア断面図及びイ−イ断面図である。
【図１８】同実施形態におけるガイド部材の組付構造を説明する図である。
【図１９】本発明の更に他の実施形態を示す図である。
【図２０】図１９におけるカプラの内部構造を詳しく示した図である。
【図２１】本発明の更に他の実施形態を示す図である。
【図２２】本発明の更に他の実施形態を示す図である。
【図２３】従来の水栓装置の一例をその取付構造とともに示す図である。
【符号の説明】
【００８２】
１２  カウンター
１４  本体部
２０  ホース
３８，４０  供給管
４２  流出管
１７２  電気配線
１８８  取付穴
２０４  アダプタ装置
２１４  アダプタ本体
２１６  ホルダ
２１８  雄ねじ部材
２２２  挿通部
２３２  ガイド部材
２３４  配線ガイド
２３６  パイプガイド
２３８  保持爪
２４０  保持孔
２４２  開口
２６６，２６８  ガイド面
【図１】
2006144330.tif 000003
【図２】
2006144330.tif 000004
【図３】
2006144330.tif 000005
【図４】
2006144330.tif 000006
【図５】
2006144330.tif 000007
【図６】
2006144330.tif 000008
【図７】
2006144330.tif 000009
【図８】
2006144330.tif 000010
【図９】
2006144330.tif 000011
【図１０】
2006144330.tif 000012
【図１１】
2006144330.tif 000013
【図１２】
2006144330.tif 000014
【図１３】
2006144330.tif 000015
【図１４】
2006144330.tif 000016
【図１５】
2006144330.tif 000017
【図１６】
2006144330.tif 000018
【図１７】
2006144330.tif 000019
【図１８】
2006144330.tif 000020
【図１９】
2006144330.tif 000021
【図２０】
2006144330.tif 000022
【図２１】
2006144330.tif 000023
【図２２】
2006144330.tif 000024
【図２３】
2006144330.tif 000025